【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
新たな印刷ジョブと印刷キューに登録された印刷ジョブとの差し替えを要求する印刷ジョブ管理方法であって、
印刷キューを管理する管理部より、印刷キューの内容を取得する取得工程と、
前記取得工程で取得した前記印刷キューの内容を表示し、ユーザに差し替え対象の印刷ジョブを指定させる第１指定工程と、
新たな印刷ジョブの前記印刷キューへの挿入位置をユーザに指定させる第２指定工程と、
前記管理部に前記印刷キューを更新させるための要求として、前記第１指定工程で指定された差し替え対象の印刷ジョブを示す情報と、前記第２指定工程で指定された挿入位置を示す情報と、前記新たな印刷ジョブを前記管理部に出力する出力工程とを備えることを特徴とする印刷ジョブ管理方法。
【請求項２】
前記第２指定工程は、前記挿入位置として、少なくとも前記差し替え対象の印刷ジョブの位置と前記印刷キューの最後尾位置よりいずれかを指定できることを特徴とする請求項1に記載の印刷ジョブ管理方法。
【請求項３】
前記第２指定工程は、前記挿入位置として、前記印刷キューにおける所望の位置を指定できることを特徴とする請求項１に記載の印刷ジョブ管理方法。
【請求項４】
前記第１指定工程は、前記印刷キューの内容に基づいて印刷ジョブのリストを表示し、差し替え対象の印刷ジョブとして指定可能な印刷ジョブを他の印刷ジョブと区別して表示することを特徴とする請求項１に記載の印刷ジョブ管理方法。
【請求項５】
前記新たな印刷ジョブの前記印刷キューへの挿入位置が前記管理部で設定された位置に従うモードの場合、前記第２指定工程の処理を禁止し、該管理部で設定された位置を提示する工程を更に備えることを特徴とする請求項１に記載の印刷ジョブ管理方法。
【請求項６】
印刷キューを用いて印刷ジョブの実行を管理する印刷ジョブ管理装置の印刷ジョブ管理方法であって、
差し替え印刷において、新たな印刷ジョブの印刷キューへの挿入位置を外部から指定する第１モードか、前記印刷ジョブ管理装置自身の指定に従う第２モードかを設定させる設定工程と、
外部装置からの差し替え印刷要求に応じて印刷キューの内容と前記設定工程による設定状態を前記外部装置へ通知する通知工程と、
前記通知工程による通知に応じて前記外部装置から取得された差し替え対象の印刷ジョブを前記印刷キューより削除し、取得された新たな印刷ジョブを該印刷キューに挿入する差し替え工程とを備え、
前記差し替え工程は、前記第１モードが設定されている場合には、前記新たな印刷ジョブとともに取得された挿入位置指定情報が示す位置に該新たな印刷ジョブを挿入し、前記第２モードが設定されている場合は予め設定されている位置に該新たな印刷ジョブを挿入することを特徴とする印刷ジョブ管理方法。
【請求項７】
前記差し替え印刷要求に含まれる発行者の情報に基づいて、前記印刷キュー内に差し替え対象に指定可能な印刷ジョブが存在するか否かを判定する判定工程を更に備え、
前記通知工程は、前記判定工程で差し替え対象に指定可能な印刷ジョブが存在しない場合はその旨を通知することを特徴とする請求項６に記載の印刷ジョブ管理方法。
【請求項８】
前記差し替え印刷要求に含まれる発行者の情報に基づいて、差し替え対象に指定可能な印刷ジョブを前記印刷キューから抽出する抽出工程を更に備え、
前記通知工程は、前記抽出工程で抽出された印刷ジョブを前記印刷キューの内容として通知することを特徴とする請求項６に記載の印刷ジョブ管理方法。
【請求項９】
前記設定工程は、前記第２モードを設定した場合に、印刷キューへの新たなジョブの挿入位置として、差し替え対象に指定された印刷ジョブの位置か、印刷キューの最後尾かを設定可能であることを特徴とする請求項６に記載の印刷ジョブ管理方法。
【請求項１０】
印刷ジョブを発行するクライアント部と、印刷キューを用いて印刷ジョブを管理する管理部と、印刷ジョブに従って印刷を実行するプリンタ部とを備えた画像形成システムにおける印刷ジョブ管理方法であって、
前記クライアント部より前記管理部へ差し替え印刷要求を発行する発行工程と、
前記差し替え印刷要求に応じて前記管理部より印刷キューの内容を前記クライアント部に通知する通知工程と、
前記クライアント部において、前記通知工程で通知された前記印刷キューの内容を表示し、ユーザに差し替え対象の印刷ジョブを指定させる第１指定工程と、
前記クライアント部において、新たな印刷ジョブの前記印刷キューへの挿入位置をユーザに指定させる第２指定工程と、
前記第１指定工程で指定された差し替え対象の印刷ジョブを示す情報と、前記第２指定工程で指定された挿入位置を示す情報と、前記新たな印刷ジョブを含む差し替え情報を前記管理部に出力する出力工程と、
前記出力工程で出力された差し替え情報に従って前記印刷キューを更新する更新工程とを備えることを特徴とする印刷ジョブ管理方法。
【請求項１１】
新たな印刷ジョブと印刷キューに登録された印刷ジョブとの差し替えを要求する情報処理装置であって、
印刷キューを管理する管理部より、印刷キューの内容を取得する取得手段と、
前記取得手段で取得した前記印刷キューの内容を表示し、ユーザに差し替え対象の印刷ジョブを指定させる第１指定手段と、
新たな印刷ジョブの前記印刷キューへの挿入位置をユーザに指定させる第２指定手段と、
前記管理部に前記印刷キューを更新させるための要求として、前記第１指定手段で指定された差し替え対象の印刷ジョブを示す情報と、前記第２指定手段で指定された挿入位置を示す情報と、前記新たな印刷ジョブを前記管理部に出力する出力手段とを備えることを特徴とする情報処理装置。
【請求項１２】
印刷キューを用いて印刷ジョブの実行を管理する印刷ジョブ管理装置であって、
差し替え印刷において、新たな印刷ジョブの印刷キューへの挿入位置を外部から指定する第１モードか、自身の指定に従う第２モードかを設定させる設定手段と、
外部装置からの差し替え印刷要求に応じて印刷キューの内容と前記設定手段による設定状態を前記外部装置へ通知する通知手段と、
前記通知手段による通知に応じて前記外部装置から取得された差し替え対象の印刷ジョブを前記印刷キューより削除し、取得された新たな印刷ジョブを該印刷キューに挿入する差し替え手段とを備え、
前記差し替え手段は、前記第１モードが設定されている場合には、前記新たな印刷ジョブとともに取得された挿入位置指定情報が示す位置に該新たな印刷ジョブを挿入し、前記第２モードが設定されている場合は当該装置において予め設定されている位置に該新たな印刷ジョブを挿入することを特徴とする印刷ジョブ管理装置。
【請求項１３】
印刷ジョブを発行するクライアント部と、印刷キューを用いて印刷ジョブを管理する管理部と、印刷ジョブに従って印刷を実行するプリンタ部とを備えた画像形成システムであって、
前記クライアント部より前記管理部へ差し替え印刷要求を発行する発行手段と、
前記差し替え印刷要求に応じて前記管理部より印刷キューの内容を前記クライアント部に通知する通知手段と、
前記クライアント部において、前記通知手段で通知された前記印刷キューの内容を表示し、ユーザに差し替え対象の印刷ジョブを指定させる第１指定手段と、
前記クライアント部において、新たな印刷ジョブの前記印刷キューへの挿入位置をユーザに指定させる第２指定手段と、
前記第１指定手段で指定された差し替え対象の印刷ジョブを示す情報と、前記第２指定手段で指定された挿入位置を示す情報と、前記新たな印刷ジョブを含む差し替え情報を前記管理部に出力する出力手段と、
前記出力手段で出力された差し替え情報に従って前記印刷キューを更新する更新手段とを備えることを特徴とする画像形成システム。
【請求項１４】
請求項１乃至１０のいずれか１項に記載の印刷ジョブ管理方法をコンピュータに実行させるための制御プログラム。
【請求項１５】
請求項１乃至１０のいずれか１項に記載の印刷ジョブ管理方法をコンピュータに実行させるための制御プログラムを格納したコンピュータ読み取り可能な記憶媒体。
【請求項１６】
印刷対象の複数のジョブデータを記憶可能な記憶手段のデータをプリント可能な印刷装置を有するシステムに適したジョブ処理方法であって、
前記記憶手段の複数のジョブデータのうちの、何れかのジョブデータの差替え処理を実行可能とし、
差替え処理対象のジョブの実行順序を、ユーザインタフェースユニットを介して、ユーザにより指定可能にすることを特徴とするジョブ処理方法。
【請求項１７】
前記印刷装置は、スキャナ、及び、ホストコンピュータを含む外部装置のうちの、少なくとも何れかからのジョブデータを、プリント可能であり、
前記方法は、
前記外部装置のユーザインタフェースユニット、及び、前記印刷装置自身が具備するユーザインタフェースユニットのうちの、少なくとも何れかを介して、差替え処理対象のジョブの実行順序を、ユーザにより指定可能にすることを特徴とする請求項１６に記載のジョブ処理方法。
【請求項１８】
請求項１６又は１７に記載のジョブ処理方法をコンピュータに実行させるためのプログラム。
【請求項１９】
請求項１６又は１７に記載のジョブ処理方法を実行するシステム。
【手続補正２】
【補正対象書類名】明細書
【補正対象項目名】００１１
【補正方法】変更
【補正の内容】
【００１１】
上記の目的を達成するための本発明の位置態様による情報処理装置は以下の構成を備える。即ち、
印刷キューを管理する管理部より、印刷キューの内容を取得する取得手段と、
前記取得手段で取得した前記印刷キューの内容を表示し、ユーザに差し替え対象の印刷ジョブを指定させる第１指定手段と、
新たな印刷ジョブの前記印刷キューへの挿入位置をユーザに指定させる第２指定手段と、
前記管理部に前記印刷キューを更新させるための要求として、前記第１指定手段で指定された差し替え対象の印刷ジョブを示す情報と、前記第２指定手段で指定された挿入位置を示す情報と、前記新たな印刷ジョブを前記管理部に出力する出力手段とを備える。
【手続補正３】
【補正対象書類名】明細書
【補正対象項目名】００１２
【補正方法】変更
【補正の内容】
【００１２】
また、上記の目的を達成するための本発明のたの態様による印刷ジョブ管理装置は以下の構成を備える。即ち、
印刷キューを用いて印刷ジョブの実行を管理する印刷ジョブ管理装置であって、
差し替え印刷において、新たな印刷ジョブの印刷キューへの挿入位置を外部から指定する第１モードか、自身の指定に従う第２モードかを設定させる設定手段と、
外部装置からの差し替え印刷要求に応じて印刷キューの内容と前記設定手段による設定状態を前記外部装置へ通知する通知手段と、
前記通知手段による通知に応じて前記外部装置から取得された差し替え対象の印刷ジョブを前記印刷キューより削除し、取得された新たな印刷ジョブを該印刷キューに挿入する差し替え手段とを備え、
前記差し替え手段は、前記第１モードが設定されている場合には、前記新たな印刷ジョブとともに取得された挿入位置指定情報が示す位置に該新たな印刷ジョブを挿入し、前記第２モードが設定されている場合は当該装置において予め設定されている位置に該新たな印刷ジョブを挿入する。